(57)【要約】      （修正有）【課題】周囲の明るさに関係なく、電気柵が設置されている環境条件に応じて適切な時間に衝撃電流を発生させることができる電気柵本器を提供する。【解決手段】電気柵の裸電線に衝撃電流を供給する電気柵本器１０に、裸電線に供給する衝撃電流を発生及び停止させるデジタルタイマーを内蔵させ、このデジタルタイマーに、現在時刻を表示する現在時刻表示部２１と、現在時刻表示部に表示された現在時刻を訂正可能な現在時刻設定部２５と、衝撃電流を発生させる時刻である入時刻を設定する入時刻設定部２６と、設定された入時刻を表示する入時刻表示部２２と、衝撃電流の発生を停止させる時刻である切時刻を設定する切時刻設定部２７と、設定された切時刻を表示する切時刻表示部２３を設け、現在時刻が入時刻になると衝撃電流を発生させ、現在時刻が切時刻になると衝撃電流の発生を停止させるようにした。【選択図】図１
0003150538.tif 000002
【実用新案登録請求の範囲】
【請求項１】
電気柵の裸電線に衝撃電流を供給する電気柵本器であって、
裸電線に供給する衝撃電流を発生及び停止させるデジタルタイマーを内蔵しており、
このデジタルタイマーが、現在時刻を表示する現在時刻表示部と、現在時刻表示部に表示された現在時刻を訂正可能な現在時刻設定部と、衝撃電流を発生させる時刻である入時刻を設定する入時刻設定部と、設定された入時刻を表示する入時刻表示部と、衝撃電流の発生を停止させる時刻である切時刻を設定する切時刻設定部と、設定された切時刻を表示する切時刻表示部とを備え、
現在時刻が入時刻になると衝撃電流を発生させ、現在時刻が切時刻になると衝撃電流の発生を停止させる電気柵本器。
【考案の詳細な説明】
【技術分野】
【０００１】
本考案は、電気柵の裸電線に衝撃電流を供給する電気柵本器に関する。
【背景技術】
【０００２】
電気柵は、田畑のまわりに裸電線を張り巡らせて、その裸電線に電気柵本器を接続し、電気柵本器から裸電線に衝撃電流を供給する装置である。田畑に侵入しようとする猪、猿、鹿などの害獣はその裸電線に触れて強い電気ショックを受けるので、害獣は田畑に侵入することができない。こうして、田畑は害獣による食害等から守られている。
【０００３】
ところで、猪やその他の害獣はおもに夜間に出没するので、電源の無駄使いをなくすために、電気柵本器に光センサーを内蔵し、周囲が暗くなれば、衝撃電流を発生させ、周囲が明るくなれば、衝撃電流の発生を停止させる機能を有する電気柵も存在する（例えば特許文献１、２参照）。
【０００４】
ところが、最近の研究で、猪は周囲が暗いがゆえに出没するのではなく、周囲が暗い夜間が身の危険が少ないがゆえに出没することがわかってきた。要するに、身の危険が少ない時間帯に出没するのである。実際、中山間農業地帯では、早朝、周囲は明るくなっても被害を受けた例が各地で報告されている。これは早朝の一定時間、農場は人気がなく、害獣にとっては安全な時間帯だからと思われる。そして、農作業のために人々が活動する時間になると害獣は退散し出没しない。
【０００５】
このようなことから、光センサを用いて暗い時間帯のみ衝撃電流を発生させる方式では、十分な効果をあげることができない。
【０００６】
これに対して、光センサを内蔵しながら周囲が明るくなっても、一定時間衝撃電流を発生させる方式も開発されている（特許文献３参照）。
【０００７】
しかし、そもそも光センサは屋外の光線を感知して作動するものであるから、この光センサを内蔵した電気柵本器は、屋外の光線が照射される場所に設置しなければならない。一方で、電気柵本器は、農地に建設された農機具小屋等に設置される場合が多い。この場合、ドアを閉めると内部は真っ暗になるので、光センサ内蔵の電気柵本器は本来の機能を発揮できない。したがって、光センサ機能を使用せず、電源の浪費は承知した上で、２４時間連続して衝撃電流を発生させたりしている。
【０００８】
また、害獣のうち猿は、一般的に昼間に出没する。しかし、夜間に出没する地域も各地に存在しているので、この場合、光センサーを内蔵していたとしても十分な効果を発揮できない。
【先行技術文献】
【特許文献】
【０００９】
【特許文献１】実開昭５２−４４３３５号公報
【特許文献２】実開昭６０−９８２９９号公報
【特許文献３】特許第３５５２２１９号公報
【考案の概要】
【考案が解決しようとする課題】
【００１０】
本考案が解決しようとする課題は、周囲の明るさに関係なく、電気柵が設置されている環境条件に応じて適切な時間に衝撃電流を発生させることができる電気柵本器を提供することにある。
【課題を解決するための手段】
【００１１】
本考案の電気柵本器は、電気柵の裸電線に衝撃電流を供給する電気柵本器であって、裸電線に供給する衝撃電流を発生及び停止させるデジタルタイマーを内蔵しており、このデジタルタイマーが、現在時刻を表示する現在時刻表示部と、現在時刻表示部に表示された現在時刻を訂正可能な現在時刻設定部と、衝撃電流を発生させる時刻である入時刻を設定する入時刻設定部と、設定された入時刻を表示する入時刻表示部と、衝撃電流の発生を停止させる時刻である切時刻を設定する切時刻設定部と、設定された切時刻を表示する切時刻表示部とを備え、現在時刻が入時刻になると衝撃電流を発生させ、現在時刻が切時刻になると衝撃電流の発生を停止させることを特徴とするものである。
【考案の効果】
【００１２】
本考案の電気柵本器は、衝撃電流を発生及び停止させるデジタルタイマーを内蔵しているため、デジタルタイマーにより衝撃電流を発生及び停止させる時刻である入時刻及び切時刻を自由に設定することができる。したがって、周囲の明るさに関係なく、電気柵が設置されている環境条件に応じて適切な時間に衝撃電流を発生させることができ、必要最小限の電源使用によって害獣撃退の効果を十分に発揮できる。
【００１３】
また、デジタルタイマーには、（１）現在時刻を表示する現在時刻表示部、（２）現在時刻表示部に表示された現在時刻を訂正可能な現在時刻設定部、（３）衝撃電流を発生させる時刻である入時刻を設定する入時刻設定部、（４）設定された入時刻を表示する入時刻表示部、（５）衝撃電流の発生を停止させる時刻である切時刻を設定する切時刻設定部、（６）設定された切時刻を表示する切時刻表示部を設けているので、入時刻及び切時刻の設定及び確認を容易に行うことができ、高齢者でも簡単に操作できる。さらに、デジタルタイマーは電気柵本器に内蔵されているので、電気柵本器にタイマーを接続する必要もなく、使用者とくに高齢者にとっての負担が軽減される。
【００１４】
さらに、従来の光センサー式のものとは異なり、農機具小屋などの暗い場所に設置しても、所望の時間に衝撃電流を発生させることができる。
【図面の簡単な説明】
【００１５】
【図１】本考案の電気柵本器を正面から見た図である。
【図２】本考案の電気柵本器に内蔵されているデジタルタイマーの構成を示す回路ブロック図である。
【図３】本考案の電気柵本器の使用状態を示す斜視図である。
【考案を実施するための形態】
【００１６】
以下、図面に示す実施例に基づき本考案の実施の形態を説明する。
【００１７】
図１は本考案の電気柵本器を正面から見た図、図２は電気柵本器に内蔵されているデジタルタイマーの構成を示す回路ブロック図である。
【００１８】
電気柵本器１０に内蔵されているデジタルタイマー２０は、現在時刻を表示する現在時刻表示部２１と、衝撃電流を発生させる時刻である入時刻を表示する入時刻表示部２２と、衝撃電流の発生を停止させる時刻である切時刻を表示する切時刻表示部２３を備える。これらの表示部２１〜２３は、いずれもマイクロコンピュータ２４に接続されており、それぞれ何時であるかを表示する２桁の時表示部２１ａ〜２３ａと、何分であるかを表示する２桁の分表示部２１ｂ〜２３ｂとからなる。
【００１９】
現在時刻表示部２１は、マイクロコンピュータ２４からの信号に基づき現在時刻を表示する。現在時刻がずれている場合には、マイクロコンピュータ２４に接続されている現在時刻設定部２５によって訂正する。現在時刻設定部２５は、現在時刻表示部２１の時表示部２１ａの表示を訂正する時設定ボタン２５ａと、現在時刻表示部２１の分表示部２１ｂの表示を訂正する分設定ボタン２５ｂとからなり、これらの時設定ボタン２５ａ及び分設定ボタン２５ｂを押すことにより、マイクロコンピュータ２４を介して現在時刻表示部２１の時表示部２１ａ及び分表示部２１ｂの表示を訂正する。
【００２０】
入時刻表示部２２は、衝撃電流を発生させる時刻である入時刻を設定するための入時刻設定部２６によって設定された入時刻を表示する。入時刻設定部２６はマイクロコンピュータ２４に接続されており、入時刻表示部２２の時表示部２２ａに表示される入時刻の「時」を設定する時設定ボタン２６ａと、入時刻表示部２２の分表示部２２ｂに表示される入時刻の「分」を設定する分設定ボタン２６ｂとからなる。これらの時設定ボタン２６ａ及び分設定ボタン２６ｂを押すことにより、マイクロコンピュータ２４を介して入時刻表示部２２の時表示部２２ａ及び分表示部２２ｂに表示される入時刻を設定する。
【００２１】
切時刻表示部２３は、衝撃電流の発生を停止させる時刻である切時刻を設定するための切時刻設定部２７によって設定された切時刻を表示する。切時刻設定部２７はマイクロコンピュータ２４に接続されており、切時刻表示部２３の時表示部２３ａに表示される切時刻の「時」を設定する時設定ボタン２７ａと、切時刻表示部２３の分表示部２３ａに表示される切時刻の「分」を設定する分設定ボタン２７ｂとからなる。これらの時設定ボタン２７ａ及び分設定ボタン２７ｂを押すことにより、マイクロコンピュータ２４を介して切時刻表示部２３の時表示部２３ａ及び分表示部２３ｂに表示される切時刻を設定する。
【００２２】
これらの入時刻及び切時刻の設定は、マイクロコンピュータ２４に接続されたタイマースイッチ２８をタイマー設定側の接点２８ａに接続した状態で行う。このタイマー設定時にはタイマー設定ランプ２９が点滅する。タイマー設定後、タイマースイッチ２８をタイマー動作側の接点２８ｂに接続すると、タイマーが動作を開始する。タイマー動作中にはタイマー動作ランプ３０が点滅する。
【００２３】
本実施例の電気柵本器１０は、その動作状態を切り替えるための切替スイッチ４０を備える。すなわち、切替スイッチ４０を接点４０ａに接続すると、デジタルタイマー２０が動作する状態となり、切替スイッチ４０を接点４０ｂに接続すると、デジタルタイマー２０を動作させずに衝撃電流を連続的に発生させる状態となる。また、切替スイッチ４０を中立にすると、デジタルタイマー２０を動作させずに衝撃電流の発生を停止させる状態となる。
【００２４】
デジタルタイマー２０が動作する状態において、現在時刻が入時刻となるとマイクロコンピュータ２４がリレー５０をＯＮにする。これにより衝撃電流発生回路６０が通電し、衝撃電流が発生する。その後、現在時刻が切時刻になると、マイクロコンピュータ２４がリレー５０をＯＦＦにする。これにより衝撃電流発生回路６０が遮断され、衝撃電流の発生が停止する。
【００２５】
次に、本考案の電気柵本器の使用方法を説明する。
【００２６】
図３は、本考案の電気柵本器の使用状態を示す斜視図である。電気柵本器１０は、田畑の周囲に張り巡らせた裸電線７０にパルス状の衝撃電流を供給するために、その高電圧端子３１（図１及び図２参照）が出力線８０を介して裸電線７０に接続される。高電圧端子３１には、衝撃電流発生回路６０から衝撃電流が供給される。一方、電気柵本器１０のアース端子３２は、アース線９０を介して接地される。
【００２７】
デジタルタイマー２０を使用する場合には、以下の手順で入時刻及び切時刻を設定する。
【００２８】
（１）切替スイッチ４０をタイマー側に入れる（切替スイッチ４０を接点４０ａに接続する。）。
【００２９】
（２）タイマースイッチ２８をタイマー設定側に入れる（タイマースイッチ２８を接点２８ａに接続する。）。これにより、タイマー設定ランプ２９が点滅する。
【００３０】
（３）現在時刻表示部２１に表示されている現在時刻を確認する。その現在時刻がずれていれば、現在時刻設定部２５によって正しい現在時刻に訂正する。
【００３１】
（４）入時刻設定部２６によって入時刻を設定する。例えば入時刻を１７時３０分に設定する場合、時設定ボタン２６ａを押して時表示部２２ａに「１７」を表示させるとともに、分設定ボタン２６ｂを押して分表示部２２ｂに「３０」を表示させる。
【００３２】
（５）切時刻設定部２７によって切時刻を設定する。例えば入時刻を７時１０分に設定する場合、時設定ボタン２７ａを押して時表示部２３ａに「０７」を表示させるとともに、分設定ボタン２７ｂを押して分表示部２３ｂに「１０」を表示させる。
【００３３】
（６）タイマースイッチ２８をタイマー動作側に入れる（タイマースイッチ２８を接点２８ｂに接続する。）。これにより、タイマー動作ランプ３０が点滅し、デジタルタイマー２０が動作を開始する。
【００３４】
以上の設定及び操作を行うことにより、１７時３０分から7時１０分の間にだけ、電気柵本器１０から裸電線７０に衝撃電流が供給される。
【００３５】
なお、デジタルタイマーを使用せずに連続的に衝撃電流を供給する場合は、切替スイッチ４０を連続側に入れる（切替スイッチ４０を接点４０ｂに接続する。）。また、衝撃電流の供給を完全に停止する場合は、切替スイッチ４０を中立にする。
【符号の説明】
【００３６】
１０  電気柵本器
２０  デジタルタイマー
２１  現在時刻表示部
２１ａ  時表示部
２１ｂ  分表示部
２２  入時刻表示部
２２ａ  時表示部
２２ｂ  分表示部
２３  切時刻表示部
２３ａ  時表示部
２３ｂ  分表示部
２４  マイクロコンピュータ
２５  現在時刻設定部
２５ａ  時設定ボタン
２５ｂ  分設定ボタン
２６  入時刻設定部
２６ａ  時設定ボタン
２６ｂ  分設定ボタン
２７  切時刻設定部
２７ａ  時設定ボタン
２７ｂ  分設定ボタン
２８  タイマースイッチ
２８ａ，２８ｂ  接点
２９  タイマー設定ランプ
３０  タイマー動作ランプ
３１  高電圧端子
３２  アース端子
４０  切替スイッチ
４０ａ，４０ｂ  接点
５０  リレー
６０  衝撃電流発生回路
７０  裸電線
８０  出力線
９０  アース線
【図１】
0003150538.tif 000003
【図２】
0003150538.tif 000004
【図３】
0003150538.tif 000005